(57)【要約】本発明の実施形態は、音声ベアラセットアップ方法及びアクセスネットワークデバイスを開示し、端末について音声ベアラをセットアップするのに用いられる。端末は、第１のアクセスネットワークデバイスによって提供されたセルに在留し、第１のアクセスネットワークデバイスは音声ベアラのセットアップには不適切である。本方法は、第１のアクセスネットワークデバイスが、コアネットワークデバイスによって送信されたベアラセットアップ要求メッセージを受信するステップであって、ベアラセットアップ要求メッセージは、第１のアクセスネットワークデバイスに音声ベアラのセットアップを要求するために用いられる、ステップと、第１のアクセスネットワークデバイスが、コアネットワークデバイスにベアラセットアップ応答メッセージを送信するステップであって、ベアラセットアップ応答メッセージは、コアネットワークデバイスに音声ベアラのセットアップが成功したことを通知するために用いられる、ステップと、第１のアクセスネットワークデバイスが、端末をターゲットセルにハンドオーバし、ハンドオーバプロセスにおいて、音声ベアラのターゲットセルにおけるセットアップをトリガするステップと、を含む。本発明では、端末上でセルハンドオーバが実行されるときに、音声通話の遅延を低減することができる。
2018529291.tif 000002
【特許請求の範囲】
【請求項１】
端末の音声ベアラをセットアップするために用いられる音声ベアラセットアップ方法であって、
前記端末は、第１のアクセスネットワークデバイスによって提供されたセルに在留し、前記第１のアクセスネットワークデバイスは音声ベアラのセットアップには不適切であり、
前記方法は、
前記第１のアクセスネットワークデバイスが、コアネットワークデバイスによって送信されたベアラセットアップ要求メッセージを受信するステップであって、前記ベアラセットアップ要求メッセージは、前記第１のアクセスネットワークデバイスに音声ベアラのセットアップを要求するために用いられる、ステップと、
前記第１のアクセスネットワークデバイスが、前記コアネットワークデバイスにベアラセットアップ応答メッセージを送信するステップであって、前記ベアラセットアップ応答メッセージは、前記コアネットワークデバイスに音声ベアラのセットアップが成功したことを通知するために用いられる、ステップと、
前記第１のアクセスネットワークデバイスが、前記端末をターゲットセルにハンドオーバし、ハンドオーバプロセスにおいて、前記音声ベアラの前記ターゲットセルにおけるセットアップをトリガするステップと、
を含む方法。
【請求項２】
前記第１のアクセスネットワークデバイスが前記端末をターゲットセルにハンドオーバする前に、
前記第１のアクセスネットワークデバイスが、前記端末が在留する前記セルの隣接セルのステータス情報を取得するステップと、
取得された前記ステータス情報に従って、前記隣接セルから前記ターゲットセルを選択するステップと、
を更に含む、請求項１に記載の方法。
【請求項３】
前記ステータス情報は音声サービス処理能力を含む、
請求項２に記載の方法。
【請求項４】
前記ステータス情報は更に、信号品質と負荷の一方又は両方を含む、
請求項３に記載の方法。
【請求項５】
前記端末が在留する前記セルは時分割複信（ＴＤＤ）セルであり、前記ターゲットセルは周波数分割複信（ＦＤＤ）セルである、
請求項１乃至４のいずれか一項に記載の方法。
【請求項６】
前記ターゲットセルが第２のアクセスネットワークデバイスに属するとき、前記第１のアクセスネットワークデバイスが、ハンドオーバプロセスにおいて、前記音声ベアラの前記ターゲットセルにおけるセットアップをトリガする前記ステップは、
前記第１のアクセスネットワークデバイスが、前記第２のアクセスネットワークデバイスに音声ベアラセットアップ命令情報を送信するステップであって、前記音声ベアラセットアップ命令情報は、前記第２のアクセスネットワークデバイスに、前記音声ベアラをセットアップするように命令するために用いられる、ステップ、
を含む、請求項１乃至５のいずれか一項に記載の方法。
【請求項７】
前記音声ベアラセットアップ命令情報はハンドオーバ要求メッセージで搬送され、前記ハンドオーバ要求メッセージは、Ｓ１ハンドオーバ要求メッセージ又はＸ２ハンドオーバ要求メッセージである、
請求項６に記載の方法。
【請求項８】
前記ターゲットセルが前記第１のアクセスネットワークデバイスに属するとき、前記第１のアクセスネットワークデバイスが、ハンドオーバプロセスにおいて、前記音声ベアラの前記ターゲットセルにおけるセットアップをトリガする前記ステップは、更に、
前記ターゲットセルにおいて、前記端末について前記音声ベアラをセットアップするステップと、
前記端末にハンドオーバコマンドメッセージを送信するステップであって、前記ハンドオーバコマンドメッセージは前記端末についてセットアップされた前記音声ベアラを搬送する、ステップと、
を含む、請求項１乃至５のいずれか一項に記載の方法。
【請求項９】
端末の音声ベアラをセットアップするために用いられる音声ベアラセットアップ方法であって、
前記端末は、第１のアクセスネットワークデバイスによって提供されたセルに在留し、前記第１のアクセスネットワークデバイスは音声ベアラのセットアップには不適切であり、
前記方法は、
第２のアクセスネットワークデバイスが、前記第１のアクセスネットワークデバイスによって送信された音声ベアラセットアップ命令情報を受信するステップであって、前記音声ベアラセットアップ命令情報は、前記第１のアクセスネットワークデバイスがコアネットワークデバイスによって送信された音声ベアラセットアップ要求を受信した後に、前記第１のアクセスネットワークデバイスにより前記第２のアクセスネットワークデバイスに送信される、ステップと、
前記第２のアクセスネットワークデバイスが、前記音声ベアラセットアップ命令情報に従って、前記端末について音声ベアラをセットアップするステップと、
前記第２のアクセスネットワークデバイスが、前記第１のアクセスネットワークデバイスに音声ベアラセットアップ応答を送信して、前記第１のアクセスネットワークデバイスに音声ベアラのセットアップが完了したことを通知するステップと、
を含む方法。
【請求項１０】
前記音声ベアラセットアップ命令情報はハンドオーバ要求メッセージで搬送され、前記ハンドオーバ要求メッセージは、Ｓ１ハンドオーバ要求メッセージ又はＸ２ハンドオーバ要求メッセージであり、前記音声ベアラセットアップ応答はハンドオーバ要求アクナレッジメントメッセージである、
請求項９に記載の方法。
【請求項１１】
端末について音声ベアラをセットアップするように構成されるアクセスネットワークデバイスであって、
前記端末は、前記アクセスネットワークデバイスによって提供されたセルに在留し、前記アクセスネットワークデバイスは音声ベアラのセットアップには不適切であり、
前記アクセスネットワークデバイスは、
コアネットワークデバイスによって送信されたベアラセットアップ要求メッセージを受信するように構成される受信ユニットであって、前記ベアラセットアップ要求メッセージは、前記アクセスネットワークデバイスに音声ベアラのセットアップを要求するために用いられる、受信ユニットと、
前記コアネットワークデバイスにベアラセットアップ応答メッセージを送信するように構成される送信ユニットであって、前記ベアラセットアップ応答メッセージは、前記コアネットワークデバイスに音声ベアラのセットアップが成功したことを通知するために用いられる、送信ユニットと、
前記端末をターゲットセルにハンドオーバし、ハンドオーバプロセスにおいて、前記音声ベアラの前記ターゲットセルにおけるセットアップをトリガするように構成されるハンドオーバユニットと、
を備えるアクセスネットワークデバイス。
【請求項１２】
前記端末が在留する前記セルの隣接セルのステータス情報を取得するように構成される取得ユニットと、
前記取得ユニットによって取得された前記ステータス情報に従って、前記隣接セルから前記ターゲットセルを選択するように構成される選択ユニットと、
を更に備える、請求項１１に記載のアクセスネットワークデバイス。
【請求項１３】
前記ステータス情報は音声サービス処理能力を含む、
請求項１２に記載のアクセスネットワークデバイス。
【請求項１４】
前記ステータス情報は更に、信号品質と負荷の一方又は両方を含む、
請求項１３に記載のアクセスネットワークデバイス。
【請求項１５】
前記端末が在留する前記セルは時分割複信（ＴＤＤ）セルであり、前記ターゲットセルは周波数分割複信（ＦＤＤ）セルである、
請求項１１乃至１４のいずれか一項に記載のアクセスネットワークデバイス。
【請求項１６】
前記ターゲットセルが第２のアクセスネットワークデバイスに属するとき、前記ハンドオーバユニットは、具体的には、
前記第２のアクセスネットワークデバイスに音声ベアラセットアップ命令情報を送信するように構成され、前記音声ベアラセットアップ命令情報は、前記第２のアクセスネットワークデバイスに、前記音声ベアラをセットアップするように命令するために用いられる、
請求項１１乃至１５のいずれか一項に記載のアクセスネットワークデバイス。
【請求項１７】
前記音声ベアラセットアップ命令情報はハンドオーバ要求メッセージで搬送され、前記ハンドオーバ要求メッセージは、Ｓ１ハンドオーバ要求メッセージ又はＸ２ハンドオーバ要求メッセージである、
請求項１６に記載のアクセスネットワークデバイス。
【請求項１８】
前記ターゲットセルが前記アクセスネットワークデバイスに属するとき、前記ハンドオーバユニットは、具体的には、
前記ターゲットセルにおいて、前記端末について前記音声ベアラをセットアップし、前記端末にハンドオーバコマンドメッセージを送信するように構成され、前記ハンドオーバコマンドメッセージは前記端末についてセットアップされた前記音声ベアラを搬送する、
請求項１１乃至１５のいずれか一項に記載のアクセスネットワークデバイス。
【請求項１９】
端末について音声ベアラをセットアップするように構成されるアクセスネットワークデバイスであって、
前記端末は、第１のアクセスネットワークデバイスによって提供されたセルに在留し、前記第１のアクセスネットワークデバイスは音声ベアラのセットアップには不適切であり、
前記アクセスネットワークデバイスは、
前記第１のアクセスネットワークデバイスによって送信された音声ベアラセットアップ命令情報を受信するように構成される受信ユニットであって、前記音声ベアラセットアップ命令情報は、前記第１のアクセスネットワークデバイスがコアネットワークデバイスによって送信された音声ベアラセットアップ要求を受信した後に、前記第１のアクセスネットワークデバイスにより前記アクセスネットワークデバイスに送信される、受信ユニットと、
前記音声ベアラセットアップ命令情報に従って、前記端末について音声ベアラをセットアップするように構成されるセットアップユニットと、
前記第１のアクセスネットワークデバイスに音声ベアラセットアップ応答を送信して、前記第１のアクセスネットワークデバイスに音声ベアラのセットアップが完了したことを通知するように構成される送信ユニットと、
を備えるアクセスネットワークデバイス。
【請求項２０】
前記音声ベアラセットアップ命令情報はハンドオーバ要求メッセージで搬送され、前記ハンドオーバ要求メッセージは、Ｓ１ハンドオーバ要求メッセージ又はＸ２ハンドオーバ要求メッセージであり、前記音声ベアラセットアップ応答はハンドオーバ要求アクナレッジメントメッセージである、
請求項１９に記載のアクセスネットワークデバイス。
【発明の詳細な説明】
【技術分野】
【０００１】
本発明は、通信技術の分野に関し、特に、音声ベアラセットアップの方法及びアクセスネットワークデバイスに関する。
【背景技術】
【０００２】
通信技術の継続的な発展に伴い、データ伝送はますます高速化している。最も基本的で重要である音声通話は、元の音声のみの通話から音声ビデオ通話へと発達している。既存の音声通話は完了待ち時間がより短く、ユーザにとってより質の高いより自然な音声ビデオ通話を提供することができ、ユーザ間の通信が簡便である。
【０００３】
図１を参照する。図１は、既存の音声ベアラセットアッププロセスの概略図である。図１に示されるように、端末は、サービス要求（service  request）をコアネットワークデバイスに送信して、音声サービスを開始する（Ｓ１０１）。コアネットワークデバイスは、サービス要求に基づいて第１のアクセスネットワークデバイスにベアラセットアップ要求を送信して（Ｓ１０２）、第１のアクセスネットワークデバイスに端末について音声ベアラをセットアップするように要求する。第１のアクセスネットワークデバイスがカバレッジや法律上の制限などにより端末について音声ベアラをセットアップできないとき、第１のアクセスネットワークデバイスは、ベアラセットアップに失敗したことをコアネットワークデバイスに通知するために、コアネットワークデバイスに応答メッセージを送信する（Ｓ１０３）。次に、第１のアクセスネットワークデバイスは、端末を隣接セルにハンドオーバし（Ｓ１０４）、コアネットワークデバイスに通知する（Ｓ１０５）。このように、コアネットワークデバイスは、隣接セルが位置する第２のアクセスネットワークデバイスに対してベアラセットアップ要求を送信し（Ｓ１０６）、隣接セルが位置する第２のアクセスネットワークデバイスは、音声ベアラをセットアップし（Ｓ１０７）、ベアラセットアップが成功したことをコアネットワークデバイスに通知するために、応答メッセージをコアネットワークデバイスに送信する（Ｓ１０８）。端末が在留するセルにおいて音声ベアラをセットアップできないとき、比較的大きな音声通話遅延が発生し、ユーザエクスペリエンスが悪くなることが分かる。
【発明の概要】
【０００４】
現在端末が在留するセルにおいて音声ベアラをセットアップできないときに比較的大きな音声通話遅延が発生するという問題を解決するために、本発明の実施形態は、音声ベアラセットアップの方法及びアクセスネットワークデバイスを提供する。
【０００５】
第１の態様によれば、本発明の実施形態は、端末の音声ベアラをセットアップするために用いられる音声ベアラセットアップ方法を提供する。端末は、第１のアクセスネットワークデバイスによって提供されたセルに在留し、第１のアクセスネットワークデバイスは音声ベアラのセットアップには不適当である。本方法は、
第１のアクセスネットワークデバイスが、コアネットワークデバイスによって送信されたベアラセットアップ要求メッセージを受信するステップであって、ベアラセットアップ要求メッセージは、第１のアクセスネットワークデバイスに音声ベアラのセットアップを要求するために用いられる、ステップと、
第１のアクセスネットワークデバイスが、コアネットワークデバイスにベアラセットアップ応答メッセージを送信するステップであって、ベアラセットアップ応答メッセージは、コアネットワークデバイスに音声ベアラのセットアップが成功したことを通知するために用いられる、ステップと、
第１のアクセスネットワークデバイスが、端末をターゲットセルにハンドオーバし、ハンドオーバプロセスにおいて、音声ベアラのターゲットセルにおけるセットアップをトリガするステップと、
を含む。
【０００６】
第１の態様に関して、第１の態様の第１の可能な実施では、第１のアクセスネットワークデバイスが端末をターゲットセルにハンドオーバする前に、本方法は更に、
第１のアクセスネットワークデバイスが、端末が在留するセルの隣接セルのステータス情報を取得するステップと、
取得されたステータス情報に従って、隣接セルからターゲットセルを選択するステップと、
を含む。
【０００７】
第１の態様の第１の可能な実施に関して、第１の態様の第２の可能な実施では、ステータス情報は音声サービス処理能力を含む。
【０００８】
第１の態様の第２の可能な実施に関して、第１の態様の第３の可能な実施では、ステータス情報は更に、信号品質と負荷の一方又は両方を含む。
【０００９】
第１の態様と第１の態様の第１〜第３の可能な実施とのうちいずれか１つに関して、第１の態様の第４の可能な実施では、端末が在留するセルは時分割複信（ＴＤＤ）セルであり、ターゲットセルは周波数分割複信（ＦＤＤ）セルである。
【００１０】
第１の態様と第１の態様の第１〜第４の可能な実施とのうちいずれか１つに関して、第１の態様の第５の可能な実施では、ターゲットセルが第２のアクセスネットワークデバイスに属するとき、第１のアクセスネットワークデバイスが、ハンドオーバプロセスにおいて、音声ベアラのターゲットセルにおけるセットアップをトリガするステップは、
第１のアクセスネットワークデバイスが、第２のアクセスネットワークデバイスに音声ベアラセットアップ命令情報を送信するステップであって、音声ベアラセットアップ命令情報は、第２のアクセスネットワークデバイスに、音声ベアラをセットアップするように命令するために用いられる、ステップ、
を含む。
【００１１】
第１の態様の第５の可能な実施に関して、第１の態様の第６の可能な実施では、音声ベアラセットアップ命令情報はハンドオーバ要求メッセージで搬送され、ハンドオーバ要求メッセージは、Ｓ１ハンドオーバ要求メッセージ又はＸ２ハンドオーバ要求メッセージである。
【００１２】
第１の態様と第１の態様の第１〜第４の可能な実施とのうちいずれか１つに関して、第１の態様の第７の可能な実施では、ターゲットセルが第１のアクセスネットワークデバイスに属するとき、第１のアクセスネットワークデバイスが、ハンドオーバプロセスにおいて、音声ベアラのターゲットセルにおけるセットアップをトリガするステップは、更に、
ターゲットセルにおいて、端末について音声ベアラをセットアップするステップと、
端末にハンドオーバコマンドメッセージを送信するステップであって、ハンドオーバコマンドメッセージは端末についてセットアップされた音声ベアラを搬送する、ステップと、
を含む。
【００１３】
第２の態様によれば、本発明の実施形態は、端末の音声ベアラをセットアップするために用いられる音声ベアラセットアップ方法を提供する。端末は、第１のアクセスネットワークデバイスによって提供されたセルに在留し、第１のアクセスネットワークデバイスは音声ベアラのセットアップには不適切である。本方法は、
第２のアクセスネットワークデバイスが、第１のアクセスネットワークデバイスによって送信された音声ベアラセットアップ命令情報を受信するステップであって、音声ベアラセットアップ命令情報は、第１のアクセスネットワークデバイスがコアネットワークデバイスによって送信された音声ベアラセットアップ要求を受信した後に、第１のアクセスネットワークデバイスにより第２のアクセスネットワークデバイスに送信される、ステップと、
第２のアクセスネットワークデバイスが、音声ベアラセットアップ命令情報に従って、端末について音声ベアラをセットアップするステップと、
第２のアクセスネットワークデバイスが、第１のアクセスネットワークデバイスに音声ベアラセットアップ応答を送信して、第１のアクセスネットワークデバイスに音声ベアラのセットアップが完了したことを通知するステップと、
を含む。
【００１４】
第２の態様に関して、第２の態様の第１の可能な実施では、音声ベアラセットアップ命令情報はハンドオーバ要求メッセージで搬送され、ハンドオーバ要求メッセージは、Ｓ１ハンドオーバ要求メッセージ又はＸ２ハンドオーバ要求メッセージであり、音声ベアラセットアップ応答はハンドオーバ要求アクナレッジメントメッセージである。
【００１５】
第３の態様によれば、本発明の実施形態は、端末について音声ベアラをセットアップするように構成されるアクセスネットワークデバイスを提供する。端末は、アクセスネットワークデバイスによって提供されたセルに在留し、アクセスネットワークデバイスは音声ベアラのセットアップには不適切である。本アクセスネットワークデバイスは、
コアネットワークデバイスによって送信されたベアラセットアップ要求メッセージを受信するように構成される受信ユニットであって、ベアラセットアップ要求メッセージは、アクセスネットワークデバイスに音声ベアラのセットアップを要求するために用いられる、受信ユニットと、
コアネットワークデバイスにベアラセットアップ応答メッセージを送信するように構成される送信ユニットであって、ベアラセットアップ応答メッセージは、コアネットワークデバイスに音声ベアラのセットアップが成功したことを通知するために用いられる、送信ユニットと、
端末をターゲットセルにハンドオーバし、ハンドオーバプロセスにおいて、音声ベアラのターゲットセルにおけるセットアップをトリガするように構成されるハンドオーバユニットと、
を備える。
【００１６】
第３の態様に関して、第３の態様の第１の可能な実施では、本アクセスネットワークデバイスは更に、
端末が在留するセルの隣接セルのステータス情報を取得するように構成される取得ユニットと、
取得ユニットによって取得されたステータス情報に従って、隣接セルからターゲットセルを選択するように構成される選択ユニットと、
を備える。
【００１７】
第３の態様の第１の可能な実施に関して、第３の態様の第２の可能な実施では、ステータス情報は音声サービス処理能力を含む。
【００１８】
第３の態様の第２の可能な実施に関して、第３の態様の第３の可能な実施では、ステータス情報は更に、信号品質と負荷の一方又は両方を含む。
【００１９】
第３の態様と第３の態様の第１〜第３の可能な実施とのうちいずれか１つに関して、第３の態様の第４の可能な実施では、端末が在留するセルは時分割複信（ＴＤＤ）セルであり、ターゲットセルは周波数分割複信（ＦＤＤ）セルである。
【００２０】
第３の態様と第３の態様の第１〜第４の可能な実施とのうちいずれか１つに関して、第３の態様の第５の可能な実施では、ターゲットセルが第２のアクセスネットワークデバイスに属するとき、ハンドオーバユニットは、具体的には、
第２のアクセスネットワークデバイスに音声ベアラセットアップ命令情報を送信するように構成され、音声ベアラセットアップ命令情報は、第２のアクセスネットワークデバイスに、音声ベアラをセットアップするように命令するために用いられる。
【００２１】
第３の態様の第５の可能な実施に関して、第３の態様の第６の可能な実施では、音声ベアラセットアップ命令情報はハンドオーバ要求メッセージで搬送され、ハンドオーバ要求メッセージは、Ｓ１ハンドオーバ要求メッセージ又はＸ２ハンドオーバ要求メッセージである。
【００２２】
第３の態様と第３の態様の第１〜第４の可能な実施とのうちいずれか１つに関して、第３の態様の第７の可能な実施では、ターゲットセルがアクセスネットワークデバイスに属するとき、ハンドオーバユニットは、具体的には、
ターゲットセルにおいて、端末について音声ベアラをセットアップし、端末にハンドオーバコマンドメッセージを送信するように構成される。ハンドオーバコマンドメッセージは端末についてセットアップされた音声ベアラを搬送する。
【００２３】
第４の態様によれば、本発明の実施形態は、端末について音声ベアラをセットアップするように構成されるアクセスネットワークデバイスを提供する。端末は、アクセスネットワークデバイスによって提供されたセルに在留し、アクセスネットワークデバイスは音声ベアラのセットアップには不適切である。本アクセスネットワークデバイスは、
プロセッサ、第１のインタフェース回路、第２のインタフェース回路、メモリ、バス及び送受信器を備える。プロセッサ、第１のインタフェース回路、第２のインタフェース回路、送受信器及びメモリは、バスを用いて、互いに接続され通信する。メモリはプログラムコード群を記憶する。プロセッサは、メモリに記憶されたプログラムコードを呼び出して、
第１のインタフェース回路を介して、コアネットワークデバイスによって送信されたベアラセットアップ要求メッセージを受信するステップであって、ベアラセットアップ要求メッセージは、アクセスネットワークデバイスに音声ベアラのセットアップを要求するために用いられる、ステップと、
第１のインタフェース回路を介して、コアネットワークデバイスにベアラセットアップ応答メッセージを送信するステップであって、ベアラセットアップ応答メッセージは、コアネットワークデバイスに音声ベアラのセットアップが成功したことを通知するために用いられる、ステップと、
端末をターゲットセルにハンドオーバし、ハンドオーバプロセスにおいて、音声ベアラのターゲットセルにおけるセットアップをトリガするステップと、
を実行するように構成される。
【００２４】
第４の態様に関して、第４の態様の第１の可能な実施では、プロセッサは更に、
送受信器又は第２のインタフェース回路を介して、端末が在留するセルの隣接セルのステータス情報を取得し、
取得されたステータス情報に従って、隣接セルからターゲットセルを選択するように構成される。
【００２５】
第４の態様の第１の可能な実施に関して、第４の態様の第２の可能な実施では、ステータス情報は音声サービス処理能力を含む。
【００２６】
第４の態様の第２の可能な実施に関して、第４の態様の第３の可能な実施では、ステータス情報は更に、信号品質と負荷の一方又は両方を含む。
【００２７】
第４の態様と第４の態様の第１〜第３の可能な実施とのうちいずれか１つに関して、第４の態様の第４の可能な実施では、端末が在留するセルは時分割複信（ＴＤＤ）セルであり、ターゲットセルは周波数分割複信（ＦＤＤ）セルである。
【００２８】
第４の態様と第４の態様の第１〜第４の可能な実施とのうちいずれか１つに関して、第４の態様の第５の可能な実施では、ターゲットセルが第２のアクセスネットワークデバイスに属するとき、プロセッサは、具体的には、
第２のインタフェース回路を介して、第２のアクセスネットワークデバイスに音声ベアラセットアップ命令情報を送信するように構成される。音声ベアラセットアップ命令情報は、第２のアクセスネットワークデバイスに、音声ベアラをセットアップするように命令するために用いられる。
【００２９】
第４の態様の第５の可能な実施に関して、第４の態様の第６の可能な実施では、音声ベアラセットアップ命令情報はハンドオーバ要求メッセージで搬送され、ハンドオーバ要求メッセージは、Ｓ１ハンドオーバ要求メッセージ又はＸ２ハンドオーバ要求メッセージである。
【００３０】
第４の態様と第４の態様の第１〜第４の可能な実施とのうちいずれか１つに関して、第４の態様の第７の可能な実施では、ターゲットセルが第１のアクセスネットワークデバイスに属するとき、プロセッサは、具体的には、
ターゲットセルにおいて、端末について音声ベアラをセットアップし、送受信器を介して端末にハンドオーバコマンドメッセージを送信するように構成される。ハンドオーバコマンドメッセージは端末についてセットアップされた音声ベアラを搬送する。
【００３１】
第５の態様によれば、本発明の実施形態は、端末について音声ベアラをセットアップするように構成されるアクセスネットワークデバイスを提供する。端末は、第１のアクセスネットワークデバイスによって提供されたセルに在留し、第１のアクセスネットワークデバイスは音声ベアラのセットアップには不適切である。アクセスネットワークデバイスは、
第１のアクセスネットワークデバイスによって送信された音声ベアラセットアップ命令情報を受信するように構成される受信ユニットであって、音声ベアラセットアップ命令情報は、第１のアクセスネットワークデバイスがコアネットワークデバイスによって送信された音声ベアラセットアップ要求を受信した後に、第１のアクセスネットワークデバイスによりアクセスネットワークデバイスに送信される、受信ユニットと、
音声ベアラセットアップ命令情報に従って、端末について音声ベアラをセットアップするように構成されるセットアップユニットと、
第１のアクセスネットワークデバイスに音声ベアラセットアップ応答を送信して、第１のアクセスネットワークデバイスに音声ベアラのセットアップが完了したことを通知するように構成される送信ユニットと、
を備える。
【００３２】
第５の態様の実施に関して、第５の態様の第１の可能な実施では、音声ベアラセットアップ命令情報はハンドオーバ要求メッセージで搬送される、ハンドオーバ要求メッセージは、Ｓ１ハンドオーバ要求メッセージ又はＸ２ハンドオーバ要求メッセージであり、音声ベアラセットアップ応答はハンドオーバ要求アクナレッジメントメッセージである。
【００３３】
第６の態様によれば、本発明の実施形態は、端末について音声ベアラをセットアップするように構成されるアクセスネットワークデバイスを提供する。端末は、第１のアクセスネットワークデバイスによって提供されたセルに在留し、第１のアクセスネットワークデバイスは音声ベアラのセットアップには不適切である。本アクセスネットワークデバイスは、
プロセッサ、インタフェース回路、メモリ及びバスを備える。プロセッサ、インタフェース回路及びメモリは、バスを用いて、互いに接続され通信する。メモリはプログラムコード群を記憶し、プロセッサは、メモリに記憶されたプログラムコードを呼び出して、
インタフェース回路を介して、第１のアクセスネットワークデバイスによって送信された音声ベアラセットアップ命令情報を受信する工程であって、音声ベアラセットアップ命令情報は、第１のアクセスネットワークデバイスがコアネットワークデバイスによって送信された音声ベアラセットアップ要求を受信した後に、第１のアクセスネットワークデバイスによりアクセスネットワークデバイスに送信される、工程と、
音声ベアラセットアップ命令情報に従って、端末について音声ベアラをセットアップする工程と、
インタフェース回路を介して、第１のアクセスネットワークデバイスに音声ベアラセットアップ応答を送信する工程であって、第１のアクセスネットワークデバイスに音声ベアラのセットアップが完了したことを通知する工程と、
を実行するように構成される。
【００３４】
第６の態様の実施に関して、第６の態様の第１の可能な実施では、音声ベアラセットアップ命令情報はハンドオーバ要求メッセージで搬送される、ハンドオーバ要求メッセージは、Ｓ１ハンドオーバ要求メッセージ又はＸ２ハンドオーバ要求メッセージであり、音声ベアラセットアップ応答はハンドオーバ要求アクナレッジメントメッセージである。
【００３５】
上述の解決策によれば、第１のアクセスネットワークデバイスは、コアネットワークワークデバイスによって送信されたベアラセットアップ要求メッセージを受信したとき、ベアラセットアップ応答メッセージをコアネットワークデバイスに送信して、コアネットワークデバイスに音声ベアラのセットアップが成功したことを通知し、端末をターゲットセルハンドオーバするときに、ハンドオーバプロセスにおいてターゲットセルにおける音声ベアラのセットアップをトリガする。このように、第１のアクセスネットワークデバイスが音声ベアラのセットアップに不適切であるとき、第１のアクセスネットワークデバイスが音声ベアラをセットアップしない場合でも、第１のアクセスネットワークデバイスは依然として、ベアラセットアップが成功したことを示す応答メッセージをコアネットワークデバイスに送信する。よって、コアネットワークデバイスは、ベアラセットアップが失敗したとはみなさないが、ハンドオーバが成功した後、端末がハンドオーバされた新しいセルにベアラセットアップ要求メッセージを送信する。よって、後続のハンドオーバプロセスにおいて、ターゲットセルにおいて音声リソースが準備された後に通信が継続することが保証される。加えて、端末上でセルハンドオーバが実行された後、予め準備されたリソースを直接用いて音声ベアラをセットアップし、音声通話サービスの処理を完了させることができる。よって、音声通話の遅延が低減され、ユーザの待機時間が短縮される。
【図面の簡単な説明】
【００３６】
本発明の実施形態又は従来技術における技術的解決策をより明確に説明するために、以下、実施形態を説明するために必要な添付図面を簡潔に説明する。当然ながら、添付図面は以下の説明において、本発明の一部の実施形態を示すものに過ぎない。当業者であれば、これらの添付図面から創意工夫なく他の図面を更に導出できるであろう。
【図１】既存の音声ベアラセットアッププロセスの概略図である。
【図２】本発明の実施形態に係る音声ベアラセットアップ方法の概略フローチャートである。
【図３】本発明の実施形態に係る、別の音声ベアラセットアップ方法の概略フローチャートである。
【図４】本発明の実施形態に係る、Ｘ２ハンドオーバプロセスにおける音声ベアラセットアップ方法の概略フローチャートである。
【図５】本発明の実施形態に係る、Ｓ１ハンドオーバプロセスにおける音声ベアラセットアップ方法の概略フローチャートである。
【図６】本発明の実施形態に係る、基地局内ハンドオーバプロセスにおける音声ベアラセットアップ方法の概略フローチャートである。
【図７】本発明の実施形態に係るアクセスネットワークデバイスの概略組成図である。
【図８】本発明の実施形態に係る、別のアクセスネットワークデバイスの概略組成図である。
【図９】本発明の実施形態に係る、更に別のアクセスネットワークデバイスの概略組成図である。
【図１０】本発明の実施形態に係る、更に別のアクセスネットワークデバイスの概略組成図である。
【図１１】本発明の実施形態に係る、更に別のアクセスネットワークデバイスの概略組成図である。
【発明を実施するための形態】
【００３７】
以下、本発明の実施形態において添付図面を参照しながら、本発明の実施形態における技術的解決策を明確且つ完全に説明する。当然ながら、説明される実施形態は本発明の実施形態の一部に過ぎず、全部ではない。当業者が本発明の実施形態に基づいて創意工夫なく得た他の実施形態は、全て本発明の保護範囲に包含されるものとする。
【００３８】
本願では、端末が存在するセルにおいて音声ベアラをセットアップできないときに比較的大きなアクセス遅延が発生するという問題を検討する。アクセスネットワークデバイスが音声ベアラをセットアップできないとき、音声ベアラのセットアップが実行されない場合でも、アクセスネットワークデバイスは依然として、ベアラのセットアップが成功したことをコアネットワークデバイスに通知し、ハンドオーバプロセスにおいて音声ベアラがセットアップされる。よって、ターゲットアクセスネットワークデバイスが予め音声リソースを準備することにより、アクセス遅延が低減され、ユーザエクスペリエンスが向上する。
【００３９】
当業者による理解を容易にするために、本願における一部の用語を説明する。
【００４０】
（１）アクセスネットワークは、端末を無線ネットワークに接続するために用いられる。アクセスネットワークデバイスとしては、限定ではないが、進化型ノードＢ（evolved  Node  B、ｅＮＢ）、無線ネットワークコントローラ（radio  network  controller，ＲＮ）、ノードＢ（Node  B、ＮＢ）、基地局コントローラ（Base  Station  Controller）、ベーストランシーバ基地局（Bas  Transceiver  Station，ＢＴＳ）、ホームｅＮｏｄｅＢ（例えばHome  evolved  NodeBやHome  Node  B、ＨＮＢ）、ベースバンドユニット（Base  Band  Unit、ＢＢＵ）、ＷｉＦｉアクセスポイント（Access  Point，ＡＰ）等が挙げられる。
【００４１】
（２）コアネットワークは、端末に管理及び外部ネットワーク接続を提供するために用いられる。コアネットワークデバイスとしては、限定ではないが、モビリティ管理エンティティ（Mobility  Management  Entity、ＭＭＥ）、サービング汎用パケット無線システム（General  Packet  Radio  System、ＧＰＲＳ）サポートノード（serving  GPRS  support  node、ＳＧＳＮ）、モバイルスイッチングセンター（Mobile  Switching  Center、ＭＳＣ）等が挙げられる。
【００４２】
（３）端末は、ユーザ装置（User  Equipment、ＵＥ）とも呼ばれ、音声及び／又はデータ接続をユーザに提供するデバイスであり、例えば、無線接続機能を有するハンドヘルドデバイスその他の無線モデムに接続された処理デバイスである。
【００４３】
以下、添付図面を参照して、上述のベアラセットアップ処理の一例を説明する。
【００４４】
図２を参照する。図２は、本発明の実施形態に係る音声ベアラセットアップ方法の概略フローチャートである。本方法は、端末について音声ベアラをセットアップするために用いられる。端末は、第１のアクセスネットワークデバイスによって提供されるセル（以下在留セルと呼ぶ）に在留し、第１のアクセスネットワークデバイスは音声ベアラのセットアップには不適切である。図２に示されるように、本方法は以下のステップを含む。
【００４５】
Ｓ２０１．第１のアクセスネットワークデバイスが、コアネットワークデバイスによって送信されたベアラセットアップ要求メッセージを受信する。ベアラセットアップ要求メッセージは、第１のアクセスネットワークデバイスに音声ベアラのセットアップを要求するために用いられる。
【００４６】
Ｓ２０２．第１のアクセスネットワークデバイスが、コアネットワークデバイスにベアラセットアップ応答メッセージを送信する。ベアラセットアップ応答メッセージは、コアネットワークデバイスに音声ベアラのセットアップが成功したことを通知するために用いられる。
【００４７】
Ｓ２０３．第１のアクセスネットワークデバイスが、端末をターゲットセルにハンドオーバし、ハンドオーバプロセスにおいてターゲットセルにおける音声ベアラのセットアップをトリガする。
【００４８】
上述の方法では、第１のアクセスネットワークデバイスが音声ベアラのセットアップに不適切であっても、第１のアクセスネットワークデバイスは、音声ベアラのセットアップが成功したことを示すメッセージをコアネットワークデバイスに返し、次のハンドオーバプロセスにおいて、隣接セルにおける音声ベアラのセットアップをトリガすることが分かるであろう。このように、ハンドオーバプロセスにおいて音声リソースが予め準備され、ハンドオーバ完了を待つことなく音声ベアラのセットアップが実行される。よって、音声アクセス遅延が低減され、ユーザエクスペリエンスが向上する。
【００４９】
なお、本願では、第１のアクセスネットワークデバイスが音声ベアラのセットアップに不適切であるということは、音声ベアラをセットアップできない場合と、音声サービスのサービス品質が比較的悪いために音声通信が不適切である場合との、一方又は両方を含む。比較的貧弱な音声サービス品質は、音声サービス品質閾値を設定することによって決定されてよい。本願ではこれに限定されない。
【００５０】
上述のステップＳ２０１において、ベアラセットアップ要求メッセージは音声ベアラセットアップ指示情報を搬送してよい。音声ベアラセットアップ指示情報は、セットアップが必要なベアラが音声ベアラであることを示すために用いられる。例えば、音声ベアラセットアップ指示情報は、サービス品質クラス識別子（Quality  of  Service  Class  Identifier、略してＱＣＩ）であってよい。ＱＣＩは、端末とポリシー・課金執行機能（Policy  and  Charging  Enforcement  Function、略してＰＣＥＦ）エンティティとの間のデータ伝送の特徴を記述するために用いられ、主に４つの情報、すなわちリソースタイプ（Resource  Type）、リソース優先度（Priority）、パケット遅延（Packet  Delay  Budget）及びパケット損失率（Packet  Error  Loss  Rate）を含む。ＱＣＩはスケール値であり、様々なサービスは伝送品質を保証するために異なるレベルのＱＣＩを必要とする。データ無線ベアラ（Data  Radio  Bearer、ＤＲＢ）上のＱＣＩでは、ＱＣＩ１、ＱＣＩ２及びＱＣＩ５は音声関連ＱＣＩである。ＱＣＩ１は音声サービスを搬送し、ＱＣＩ２はビデオサービスを搬送し、ＱＣＩ５は音声サービスのセッション開始プロトコル（英語：Session  Initiation  Protocol、略してＳＩＰ）シグナリング、例えば音声サービスのセットアップ及び解放に用いられるＳＩＰシグナリングを搬送する。音声サービスがセットアップされるとき、ＳＩＰシグナリングは、ＱＣＩ５を用いてコアネットワークデバイスに送信されて、コアネットワークをＱＣＩ１ベアラをセットアップして完了するようにトリガする。或いは、ビデオ電話では、ＱＣＩ１ベアラ及びＱＣＩ２ベアラは完了のためにセットアップされる必要がある。音声サービスが終了すると、対応するＳＩＰシグナリングがＱＣＩ５を用いて送信され、コアネットワークデバイスをＱＣＩ１を解除して完了するようにトリガする。或いは、ビデオ電話サービスでは、ＱＣＩ１及びＱＣＩ２が完了のために解放される必要がある。よって、通話が終了したとみなされる。したがって、音声サービスでは、セットアップが必要なベアラが音声ベアラであることを示すためにＱＣＩ１を用いることができる。すなわち、ＱＣＩ１は、音声ベアラセットアップ指示情報として用いることができる。ビデオ電話サービスでは、ＱＣＩ１及びＱＣＩ２は音声ベアラセットアップ指示情報として用いられてよい。加えて、一部の情報がセットアップが必要なベアラが音声ベアラであることを示すように定義されてよい。本願ではこれに限定されない。
【００５１】
上述のステップＳ２０２では、第１のアクセスネットワークデバイスが音声ベアラのセットアップには不適切であるので、第１のアクセスネットワークデバイスは音声ベアラをセットアップしないが、ベアラのセットアップが成功したことを示す応答メッセージをコアネットワークデバイスに送信する。このように、コアネットワークデバイスは、ベアラのセットアップが失敗したとはみなさないが、ハンドオーバが成功した後、端末がハンドオーバされる新しいセルにベアラセットアップ要求メッセージを送信する。よって、後続のハンドオーバプロセスにおいて、ターゲットセルで音声リソースが準備された後に通信が継続することが保証される。
【００５２】
上述のステップＳ２０３の前に、第１のアクセスネットワークデバイスは、ハンドオーバのためのターゲットセルを選択してよい。図３を参照する。図３は、本発明の実施形態に係る、別の音声ベアラセットアップ方法の概略フローチャートである。ステップＳ３０１，Ｓ３０２は、ステップＳ２０１，Ｓ２０２と同様であり、ここでは詳細な説明を省略する。ステップＳ２０３と同じであるステップＳ３０５の前に、本方法は更に以下のステップを含む。
【００５３】
Ｓ３０３．第１のアクセスネットワークデバイスが、在留セルの隣接セルのステータス情報を取得する。
【００５４】
Ｓ３０４．取得されたステータス情報に従って、隣接セルからターゲットセルを選択する。
【００５５】
ステータス情報は音声サービス処理能力を含んでよい。第１のアクセスネットワークデバイスは、在留セルの隣接セルから、ステータス情報に従って、音声サービス処理能力を有するセルをターゲットセルとして選択する。隣接セルが１つしかないとき、隣接セルのステータス情報が隣接セルが音声ベアラのセットアップに適していることを示す場合、その隣接セルがターゲットセルとして用いられる。複数の隣接セルが存在するとき、音声ベアラのセットアップに適した隣接セルが１つしかない場合、音声ベアラのセットアップに適した隣接セルがターゲットセルとして用いられる。１つ以上の隣接セルが音声ベアラのセットアップに適している場合、任意の隣接セルがターゲットセルとして選択されるか、或いは、他のステータス情報に従って最適セルがターゲットセルとして選択される。
【００５６】
例えば、時分割複信（Time  Division  Duplex，ＴＤＤ）セルは音声ベアラのセットアップに不適切であるが、周波数分割複信（Frequency  Division  Duplex，ＦＤＤ）セルは音声ベアラのセットアップに適切である。したがって、在留セルがＴＤＤセルであるとき、在留セルの隣接セルからターゲットセルとしてＦＤＤセルが選択されてよい。端末はターゲットセルにハンドオーバされ、ハンドオーバプロセスにおいてターゲットセルにおける音声ベアラのセットアップがトリガされる。
【００５７】
音声ベアラのセットアップに適した隣接セルからターゲットセルを選択する根拠は、隣接セルの信号品質を含んでもよいし、隣接セルの負荷を含んでもよい。例えば、最適な信号品質を有する隣接セルがターゲットセルとして選択されるか、或いは、最小負荷の隣接セルがターゲットセルとして選択される。これは単なる例であり、本願を限定することを意図するものではない。
【００５８】
信号品質は、端末による測定及び報告によって取得されてよく、隣接セルの負荷は、基地局間のインタラクションによって取得されてよい。当然ながら、隣接セルと在留セルが同じアクセスネットワークデバイスに属する場合、基地局間のインタラクションを必要とせずに負荷を取得することができる。
【００５９】
上述のステップＳ２０３では、在留セルとターゲットセルが異なるアクセスネットワークデバイスに属する場合、上述のハンドオーバプロセスは、Ｓ１ハンドオーバ及びＸ２ハンドオーバを含む基地局間ハンドオーバを参照する。例えば、ロングタームエボリューション（Long  Term  Evolution、ＬＴＥ）システムにおいて、アクセスネットワークデバイス（ｅＮＢ）間にＸ２インタフェースが存在する場合、Ｘ２ハンドオーバが実行されてよい。Ｘ２インタフェースが存在しない場合、Ｓ１ハンドオーバが実行される。アクセスネットワーク間の直接接続が存在しないネットワーク規格では、基地局間ハンドオーバは一般にＳ１ハンドオーバである。加えて、ＲＡＴ間ハンドオーバでは、すなわち、ソースアクセスネットワークデバイスとターゲットアクセスネットワークデバイスが異なるネットワーク規格に属するときのハンドオーバでは、基地局間ハンドオーバは一般にＳ１ハンドオーバである。在留セルとターゲットセルが同じアクセスネットワークデバイスに属する場合、上述のハンドオーバプロセスは基地局内ハンドオーバを意味する。以下、ロングタームエボリューション（Long  Term  Evolution、ＬＴＥ）を例として用いて、図４と図５を参照して、それぞれ基地局間Ｓ１ハンドオーバプロセスにおけるベアラセットアップと基地局間Ｘ２ハンドオーバプロセスにおけるベアラセットアップを説明し、図６を参照して、基地局内ハンドオーバプロセスにおけるベアラセットアップを説明する。
【００６０】
図４を参照する。図４は、本発明の実施形態に係る、Ｘ２ハンドオーバプロセスにおける音声ベアラセットアップ方法の概略フローチャートである。本実施形態では、第１のアクセスネットワークデバイスがｅＮＢ１であり、第２のアクセスネットワークデバイスがｅＮＢ２であり、コアネットワークデバイスがモビリティ管理エンティティＭＭＥである例を説明に用いる。ｅＮＢ１によって選択された隣接セルはｅＮＢ２内に位置する。端末は、Ｘ２ハンドオーバにより、ｅＮＢ１からｅＮＢ２にハンドオーバされる。
【００６１】
本方法は以下のステップを含む。
【００６２】
Ｓ４０１．端末が、ＭＭＥにサービス要求を送信して、音声通話を開始する。
【００６３】
Ｓ４０２．ＭＭＥが、ｅＮＢ１にベアラセットアップ要求メッセージを送信する。ベアラセットアップ要求メッセージは、ｅＮＢ１に音声ベアラのセットアップを要求するために用いられる。
【００６４】
Ｓ４０３．ｅＮＢ１が、ベアラセットアップ応答メッセージを返し、ＭＭＥに音声ベアラセットアップが成功したことを通知する。
【００６５】
Ｓ４０４．ｅＮＢ１は、現在の在留セルの隣接セルを選択し、Ｘ２ハンドオーバ手順を開始する。隣接セルはｅＮＢ２に位置する。
【００６６】
Ｓ４０５．ｅＮＢ１が、ｅＮＢ２にハンドオーバ要求メッセージを送信する。ハンドオーバ要求メッセージは音声ベアラセットアップ命令情報を搬送し、音声ベアラセットアップ命令情報は、ｅＮＢ２に音声ベアラをセットアップするように命令するために用いられる。
【００６７】
このように、ｅＮＢ２は、ハンドオーバ要求メッセージに従って、音声ベアラリソースを予め準備してよい。
【００６８】
なお、ここでの事前準備とは、端末上でセルハンドオーバが行われる前に、音声ベアラリソースが準備されていることを意味する。
【００６９】
以下では引き続きハンドオーバプロセスについて説明するが、以下のプロセスは既存のハンドオーバプロセスの一例に過ぎず、本願を限定することを意図するものではない。
【００７０】
Ｓ４０６．ｅＮＢ２が、リソースアドミッションを実行し、端末のアクセスのために無線インタフェースリソース及び音声ベアラリソースを割り当てる。
【００７１】
Ｓ４０７．ｅＮＢ２が、リソースアドミッションが成功した後、ハンドオーバ要求アクナレッジ（handover  request  acknowledge）メッセージをｅＮＢ１に送信して、ハンドオーバ準備が完了したことを示す。
【００７２】
Ｓ４０８．ｅＮＢ１が、端末にハンドオーバを実行するように命令する。例えば、ｅＮＢ１は、端末にＲＲＣ接続再構成メッセージを送信して、端末にハンドオーバを実行するように命令してよい。
【００７３】
Ｓ４０９．端末がターゲットセルに正常にアクセスした後、端末が、ｅＮＢ２に、ハンドオーバプロセスが完了したことを通知する。例えば、端末が、ｅＮＢ２にＲＲＣ接続再構成完了メッセージを送信することで、ｅＮＢ２はハンドオーバプロセスが完了したと決定する。
【００７４】
Ｓ４１０．ｅＮＢ２は、ＭＭＥに要求メッセージを送信して、サービスデータチャネルのノードアドレスの更新を要求する。
【００７５】
Ｓ４１１．ＭＭＥが、データチャネルのノードアドレスを更新した後、アクナレッジメントメッセージをｅＮＢ２に送信して、新しいベアラ上でサービス通信が実行できることを示す。
【００７６】
Ｓ４１２．端末がターゲットセルにアクセスし、ターゲットセルにおいてサービス通信を実行することができた後、ｅＮＢ２がｅＮＢ１に、端末のリソース及びコンテキストを解放するよう命令する。
【００７７】
Ｓ４１３．ｅＮＢ１が、端末のリソース及びコンテキストを解放する。
【００７８】
ｅＮＢ２がＸ２ハンドオーバのための音声ベアラリソースを予め準備した後、ＴＳ３６．３００プロトコルで定義されたハンドオーバ手順に従って、セルハンドオーバが実行されてよい。準備されたリソースは、音声ベアラを迅速にセットアップし、音声通話サービスを処理するために用いられ、音声通話の遅延が低減される。
【００７９】
図５を参照する。図５は、本発明の実施形態に係る、Ｓ１ハンドオーバプロセスにおける音声ベアラセットアップ方法の概略フローチャートである。本実施形態では、第１のアクセスネットワークデバイスがｅＮＢ１であり、第２のアクセスネットワークデバイスがｅＮＢ２であり、コアネットワークデバイスがＭＭＥである例を説明のために用いる。ｅＮＢ１によって選択された隣接セルはｅＮＢ２内に位置する。端末は、Ｓ１ハンドオーバにより、ｅＮＢ１からｅＮＢ２にハンドオーバされる。
【００８０】
本方法は、以下のステップを含む。
【００８１】
ステップＳ５０１〜Ｓ５０３は、ステップＳ４０１〜Ｓ４０３と同様である。詳細については、Ｓ４０１〜Ｓ４０３を参照し、ここでは詳細な説明を省略する。
【００８２】
Ｓ５０４．ｅＮＢ１が、現在の在留セルの隣接セルを選択し、Ｓ１ハンドオーバ手順を開始する。
【００８３】
Ｓ５０５．ｅＮＢ１が、ＭＭＥにハンドオーバ要求メッセージを送信する。ハンドオーバ要求メッセージは音声ベアラセットアップ命令情報を搬送する。音声ベアラセットアップ命令情報は、ｅＮＢ２に音声ベアラのセットアップを命令するために用いられる。
【００８４】
このように、モビリティ管理エンティティはｅＮＢ２に、音声ベアラリソースの事前準備を通知することができる。
【００８５】
Ｓ５０６．ＭＭＥが、ハンドオーバ要求メッセージをｅＮＢ２に送信する。
【００８６】
以下では引き続きハンドオーバプロセスについて説明するが、以下のプロセスは既存のハンドオーバプロセスの一例に過ぎず、本願を限定することを意図するものではない。
【００８７】
Ｓ５０７．ｅＮＢ２が、リソースアドミッションを実行し、端末のアクセスのために無線インタフェースリソース及び音声ベアラリソースを割り当てる。
【００８８】
Ｓ５０８．ｅＮＢ２が、リソースアドミッションが成功した後、ハンドオーバ要求アクナレッジメントメッセージをＭＭＥに送信して、ハンドオーバ準備が完了したことを示す。
【００８９】
Ｓ５０９．ＭＭＥが、ｅＮＢ１にハンドオーバ命令を送信して、ｅＮＢ２のアドレス等の情報をｅＮＢ１に通知する。
【００９０】
Ｓ５１０．ｅＮＢ１が、端末にハンドオーバを実行するように命令する。例えば、ｅＮＢ１は、端末にＲＲＣ接続再構成メッセージを送信して、端末にハンドオーバを実行するように命令してよい。
【００９１】
Ｓ５１１．端末がターゲットセルに正常にアクセスした後、端末はｅＮＢ２に、ハンドオーバプロセスが完了したことを通知する。例えば、端末が、ｅＮＢ２にＲＲＣ接続再構成完了メッセージを送信することで、ｅＮＢ２はハンドオーバプロセスが完了したと決定する。
【００９２】
Ｓ５１２．端末がターゲットセルにアクセスし、ターゲットセルにおいてサービス通信を実行することができた後、この場合、ｅＮＢ２がｅＮＢ１に、端末のリソース及びコンテキストを解放するよう命令する。
【００９３】
Ｓ５１３．ｅＮＢ１が、端末のコンテキスト及びリソースを解放する。
【００９４】
ＭＭＥがＳ１ハンドオーバのための音声ベアラリソースの事前準備をｅＮＢ２に通知した後、準備されたリソースは、音声ベアラを迅速にセットアップし、音声通話サービスを処理するために用いられてよく、よって、音声通話の遅延が低減される。
【００９５】
図６を参照する。図６は、本発明の実施形態に係る、基地局内ハンドオーバプロセスにおける音声ベアラセットアップ方法の概略フローチャートである。本実施形態では、第１のアクセスネットワークデバイスがｅＮＢ１であり、コアネットワークデバイスがＭＭＥである例を説明に用いる。ｅＮＢ１によって選択された隣接セルは、基地局内に位置する。したがって、基地局間のハンドオーバは不要である。
【００９６】
本方法は以下のステップを含む。
【００９７】
ステップＳ６０１〜Ｓ６０３は、ステップＳ４０１〜Ｓ４０３と同様である。詳細についてはＳ４０１〜Ｓ４０３を参照し、ここでは詳細な説明を省略する。
【００９８】
Ｓ６０４．ｅＮＢ１が、現在の在留セルの隣接セルを選択し、基地局内ハンドオーバ手順を開始し、端末について音声ベアラリソースを予め準備する。
【００９９】
基地局内ハンドオーバは、主にＲＲＣ再構成によって実現される。すなわち、ＲＲＣ再構成メッセージが端末に送信され、再構成メッセージを用いて、選択された隣接セルが端末のサービングセルとして構成される。ＲＲＣ再構成メッセージは、基地局内ハンドオーバのためのハンドオーバコマンドメッセージと呼ばれることがある。すなわち、本方法は以下のステップを含む。
【０１００】
Ｓ６０５．ｅＮＢ１が、端末にハンドオーバコマンドメッセージを送信する。ハンドオーバコマンドメッセージは、端末についてセットアップされた音声ベアラを搬送する。
【０１０１】
Ｓ６０６．ｅＮＢ１は、セルハンドオーバのための音声ベアラリソースを予め準備した後、端末についてセットアップされた音声ベアラのリソースを端末に通知し、準備されたリソースを用いて迅速に音声ベアラをセットアップし、セルハンドオーバが完了した後に音声通話サービスを処理することができる。よって、音声通話の遅延が低減される。
【０１０２】
図７を参照する。図７は、本発明の実施形態に係るアクセスネットワークデバイスの概略組成図である。アクセスネットワークデバイスは、端末について音声ベアラをセットアップするように構成される。端末は、アクセスネットワークデバイスによって提供されたセルに在留し、アクセスネットワークデバイスは音声ベアラのセットアップには不適切である。本実施形態では、アクセスネットワークデバイスは、
コアネットワークデバイスによって送信されたベアラセットアップ要求メッセージを受信するように構成される受信ユニット１００であって、ベアラセットアップ要求メッセージは、アクセスネットワークデバイスに音声ベアラのセットアップを要求するために用いられる、受信ユニット１００と、
コアネットワークデバイスにベアラセットアップ応答メッセージを送信するように構成される送信ユニット２００であって、ベアラセットアップ応答メッセージは、コアネットワークデバイスに音声ベアラのセットアップが成功したことを通知するために用いられる、送信ユニット２００と、
端末をターゲットセルにハンドオーバし、ハンドオーバプロセスにおいて、音声ベアラのターゲットセルにおけるセットアップをトリガするように構成されるハンドオーバユニット３００と、
を備える。
【０１０３】
任意に、端末が在留するセルは時分割複信（ＴＤＤ）セルであり、ターゲットセルは周波数分割複信（ＦＤＤ）セルである。
【０１０４】
任意に、ターゲットセルが第２のアクセスネットワークデバイスに属するとき、ハンドオーバユニット３００は、具体的には、
第２のアクセスネットワークデバイスに音声ベアラセットアップ命令情報を送信するように構成される。音声ベアラセットアップ命令情報は、第２のアクセスネットワークデバイスに、音声ベアラをセットアップするように命令するために用いられる。
【０１０５】
任意に、音声ベアラセットアップ命令情報はハンドオーバ要求メッセージで搬送され、ハンドオーバ要求メッセージは、Ｓ１ハンドオーバ要求メッセージ又はＸ２ハンドオーバ要求メッセージである。
【０１０６】
任意に、ターゲットセルがアクセスネットワークデバイスに属するとき、ハンドオーバユニット３００は、具体的には、
ターゲットセルにおいて、端末について音声ベアラをセットアップし、端末にハンドオーバコマンドメッセージを送信するように構成される。ハンドオーバコマンドメッセージは端末についてセットアップされた音声ベアラを搬送する。
【０１０７】
なお、アクセスネットワークデバイスとしては、限定ではないが、進化型ノードＢ、無線ネットワークコントローラ、ノードＢ、基地局コントローラ、ベーストランシーバ基地局、ホーム基地局、ベースバンドユニット、ＷｉＦｉアクセスポイント等が挙げられる。本実施形態における受信ユニット及び送信ユニットは、アクセスネットワークデバイスのインタフェース回路であってよく、インタフェース回路は、コアネットワークとの通信を実現するように構成される。例えば、インタフェース回路はＳ１インタフェース回路であってよく、Ｓ１インタフェースプロトコルを実現するように構成される。加えて、インタフェース回路は、アクセスネットワークデバイスのプロセッサに接続されてよい。プロセッサは、受信されたベアラセットアップ要求メッセージに従ってベアラセットアップ応答メッセージを生成し、インタフェース回路を介して、ベアラセットアップ応答メッセージをコアネットワークデバイスに送信する。ハンドオーバユニットは、独立して配置されたプロセッサであってもよいし、実装のためにアクセスネットワークデバイスのプロセッサに組み込まれてもよい。或いは、ハンドオーバユニットは、プログラムコードの形式でアクセスネットワークデバイスのメモリに記憶されてよい。アクセスネットワークデバイスのプロセッサは、ハンドオーバユニットの機能を呼び出して実行する。ここで説明されるプロセッサは、中央演算処理装置（Central  Processing  Unit，ＣＰＵ）、特定用途向け集積回路（Application  Specific  Integrated  Circuit，ＡＳＩＣ）、或いは、本発明の本実施形態を実現するように構成される１つ以上の集積回路であってよい。
【０１０８】
図８を参照する。図８は、本発明の実施形態に係る、別のアクセスネットワークデバイスの概略組成図である。図７に示されるアクセスネットワークデバイスと比較して、本発明の本実施形態におけるアクセスネットワークデバイスは更に、
取得ユニット４００、端末が在留しているセルの隣接セルのステータス情報を取得するように構成される取得ユニット４００と、
取得ユニット４００によって取得されたステータス情報に従って、隣接セルからターゲットセルを選択するように構成される選択ユニット５００と、
を備える。
【０１０９】
任意に、ステータス情報は音声サービス処理能力を含む。
【０１１０】
任意に、ステータス情報は更に、信号品質と負荷の一方又は両方を含む。
【０１１１】
図7に示される実施形態と同様に、本実施形態における受信ユニット、送信ユニット及びハンドオーバユニットの実施は、上述の実施形態に記載されたものと同様である。取得ユニット及び選択ユニットの実施はハンドオーバユニットの実施と同様であり、取得ユニット及び選択ユニットは、ハンドオーバユニットと一体化されてもよいし、独立して実施されてもよい。加えて、取得ユニットは、アクセスネットワークデバイスの送受信器を介して端末とインタラクションして、ステータス情報を取得してよい。或いは、取得ユニットは、別のアクセスネットワークデバイスのインタフェース回路を介して別のアクセスネットワークデバイスとインタラクションして、ステータス情報を取得してよい。ここで説明されるプロセッサは、中央演算処理装置（Central  Processing  Unit，ＣＰＵ）、特定用途向け集積回路（Application  Specific  Integrated  Circuit，ＡＳＩＣ）、或いは、本発明の本実施形態を実現するように構成される1つ以上の集積回路であってよい。
【０１１２】
図９を参照する。図９は、本発明の実施形態に係る、更に別のアクセスネットワークデバイスの概略組成図である。アクセスネットワークデバイスは、端末について音声ベアラをセットアップするように構成される。端末は、アクセスネットワークデバイスによって提供されたセルに在留し、アクセスネットワークデバイスは音声ベアラのセットアップには不適切である。本願では、アクセスネットワークデバイスは、
プロセッサ１１０１、第１のインタフェース回路１１０２、第２のインタフェース回路１１０３、メモリ１１０４、バス１１０５及び送受信器１１０６、
を備える。プロセッサ１１０１、第１のインタフェース回路１１０２、第２のインタフェース回路１１０３、送受信器１１０６及びメモリ１１０４は、バス１１０５を用いて、互いに接続され通信する。メモリ１１０４はプログラムコード群を記憶する。プロセッサ１１０１は、メモリ１１０４に記憶されたプログラムコードを呼び出して、
第１のインタフェース回路１１０２を介して、コアネットワークデバイスによって送信されたベアラセットアップ要求メッセージを受信する工程であって、ベアラセットアップ要求メッセージは、アクセスネットワークデバイスに音声ベアラのセットアップを要求するために用いられる、工程と、
第１のインタフェース回路１１０２を介して、コアネットワークデバイスにベアラセットアップ応答メッセージを送信する工程であって、ベアラセットアップ応答メッセージは、コアネットワークデバイスに音声ベアラのセットアップが成功したことを通知するために用いられる、工程と、
端末をターゲットセルにハンドオーバし、ハンドオーバプロセスにおいて、音声ベアラのターゲットセルにおけるセットアップをトリガする工程と、
を実行するように構成される。
【０１１３】
任意に、プロセッサ１１０１は更に、
端末が在留するセルの隣接セルのステータス情報を取得し、
取得されたステータス情報に従って、隣接セルからターゲットセルを選択するように構成される。
【０１１４】
具体的には、プロセッサ１１０１は、端末から送受信器１１０６を介してステータス情報を取得してもよいし、アクセスネットワークデバイスと別のアクセスネットワークデバイスとの間の第２のインタフェース回路１１０３を介して、ステータス情報を取得してもよい。
【０１１５】
ステータス情報は音声サービス処理能力を含む。
【０１１６】
任意に、ステータス情報は更に、信号品質と負荷の一方又は両方を含む。
【０１１７】
端末が在留するセルは時分割複信（ＴＤＤ）セルであり、ターゲットセルは周波数分割複信（ＦＤＤ）セルである。
【０１１８】
ターゲットセルが第２のアクセスネットワークデバイスに属するとき、プロセッサ１１０１は、具体的には、
第２のインタフェース回路１１０３を介して、第２のアクセスネットワークデバイスに音声ベアラセットアップ命令情報を送信するように構成される。音声ベアラセットアップ命令情報は、第２のアクセスネットワークデバイスに、音声ベアラをセットアップするように命令するために用いられる。
【０１１９】
音声ベアラセットアップ命令情報はハンドオーバ要求メッセージで搬送され、ハンドオーバ要求メッセージは、Ｓ１ハンドオーバ要求メッセージ又はＸ２ハンドオーバ要求メッセージである。
【０１２０】
任意に、ターゲットセルが第１のアクセスネットワークデバイスに属するとき、プロセッサ１１０１は、具体的には、
ターゲットセルにおいて、端末について音声ベアラをセットアップし、送受信器１１０６を介して、端末にハンドオーバコマンドメッセージを送信するように構成される。ハンドオーバコマンドメッセージは端末についてセットアップされた音声ベアラを搬送する。
【０１２１】
なお、ここでのプロセッサ１１０１は、１つのプロセッサであってもよいし、複数の処理要素の総称であってもよい。例えば、プロセッサは、中央演算処理装置（Central  Processing  Unit，ＣＰＵ）、特定用途向け集積回路（Application  Specific  Integrated  Circuit，ＡＳＩＣ）、或いは、本発明の本実施形態を実現するように構成される１つ以上の集積回路であってよく、例えば、１つ以上のマイクロプロセッサ（digital  signal  processor，ＤＳＰ）や１つ以上のフィールドプログラマブルゲートアレイ（Field  Programmable  Gate  Array，ＦＰＧＡ）であってよい。
【０１２２】
メモリ１１０３は記憶装置であってもよいし、複数の記憶素子の総称であってもよく、アクセスネットワークデバイスを動作させるために必要な実行可能プログラムコードやパラメータ、データ等を記憶するように構成される。加えて、メモリ１１０３はランダムアクセスメモリ（ＲＡＭ）を含んでよく、更に、不揮発性メモリ（non-volatile  memory）、例えばディスクメモリ、フラッシュメモリ（Flash）を含んでよい。
【０１２３】
バス１１０４は、業界標準アーキテクチャ（Industry  Standard  Architecture、ＩＳＡ）バス、周辺コンポーネント相互接続（Peripheral  Component、ＰＣＩ）バス、拡張業界標準アーキテクチャ（Extended  Industry  Standard  Architecture、ＥＩＳＡ）バスなどであってよい。バス１１０４は、アドレスバス、データバス、制御バスなどに分類されてよい。表示を容易にするために、図９において１本の太い線のみが表示に用いられているが、１つのバス又は１種類のバスしか存在しないことを示すものではない。
【０１２４】
図１０を参照する。図１０は、本発明の実施形態に係る、更に別のアクセスネットワークデバイスの概略組成図である。アクセスネットワークデバイスは、端末について音声ベアラをセットアップするように構成される。端末は、第１のアクセスネットワークデバイスによって提供されたセルに在留し、第１のアクセスネットワークデバイスは音声ベアラのセットアップには不適切である。アクセスネットワークデバイスは、
第１のアクセスネットワークデバイスによって送信された音声ベアラセットアップ命令情報を受信するように構成される受信ユニット６００であって、音声ベアラセットアップ命令情報は、第１のアクセスネットワークデバイスがコアネットワークデバイスによって送信された音声ベアラセットアップ要求を受信した後に、第１のアクセスネットワークデバイスによりアクセスネットワークデバイスに送信される、受信ユニット６００と、
音声ベアラセットアップ命令情報に従って、端末について音声ベアラをセットアップするように構成されるセットアップユニット７００と、
第１のアクセスネットワークデバイスに音声ベアラセットアップ応答を送信して、第１のアクセスネットワークデバイスに音声ベアラのセットアップが完了したことを通知するように構成される送信ユニット８００と、
を備える。
【０１２５】
任意に、音声ベアラセットアップ命令情報はハンドオーバ要求メッセージで搬送される。ハンドオーバ要求メッセージは、Ｓ１ハンドオーバ要求メッセージ又はＸ２ハンドオーバ要求メッセージであり、音声ベアラセットアップ応答はハンドオーバ要求アクナレッジメントメッセージである。
【０１２６】
なお、アクセスネットワークデバイスとしては、限定ではないが、進化型ノードＢ、無線ネットワークコントローラ、ノードＢ、基地局コントローラ、ベーストランシーバ基地局、ホームｅＮｏｄｅＢ、ベースバンドユニット、ＷｉＦｉアクセスポイント等が挙げられる。本実施形態における受信ユニット及び送信ユニットは、アクセスネットワークデバイスのインタフェース回路、例えばＸ２インタフェース回路又はＳ１インタフェース回路であってよい。インタフェース回路は、別のアクセスネットワークデバイスとの通信を実現するように構成され、別のアクセスネットワークデバイスから音声ベアラセットアップ命令情報を受信し、別のアクセスネットワークデバイスに音声ベアラセットアップ応答を送信する。或いは、インタフェース回路は、コアネットワークデバイスとの通信を実現するように構成され、コアネットワークデバイスによって転送された別のアクセスネットワークデバイスの音声ベアラセットアップ命令情報を受信し、コアネットワークデバイスを介して別のアクセスネットワークデバイスに音声ベアラセットアップ応答を転送する。セットアップユニットは、独立して配置されたプロセッサであってもよいし、実装のためにアクセスネットワークデバイスのプロセッサに統合されてもよい。或いは、セットアップユニットは、プログラムコードの形式でアクセスネットワークデバイスのメモリに記憶されてよい。アクセスネットワークデバイスのプロセッサは、セットアップユニットの機能を呼び出して実行する。ここで説明されるプロセッサは、中央演算処理装置（Central  Processing  Unit，ＣＰＵ）、特定用途向け集積回路（Application  Specific  Integrated  Circuit，ＡＳＩＣ）、或いは、本発明の本実施形態を実現するように構成される１つ以上の集積回路であってよい。
【０１２７】
図１１を参照する。図１１は、本発明の実施形態に係る、更に別のアクセスネットワークデバイスの概略組成図である。アクセスネットワークデバイスは、端末について音声ベアラをセットアップするように構成される、端末は、第１のアクセスネットワークデバイスによって提供されたセルに在留し、第１のアクセスネットワークデバイスは音声ベアラのセットアップには不適切である。アクセスネットワークデバイスは、
プロセッサ２１０１、インタフェース回路２１０２、メモリ２１０３及びバス２１０４、
を備える。プロセッサ２１０１、インタフェース回路２１０２及びメモリ２１０３は、バス２１０４を用いて互いに接続され通信する。メモリ２１０３はプログラムコード群を記憶する。プロセッサ２１０１は、メモリ２１０３に記憶されたプログラムコードを呼び出して、
インタフェース回路２１０２を介して、第１のアクセスネットワークデバイスによって送信された音声ベアラセットアップ命令情報を受信する工程であって、音声ベアラセットアップ命令情報は、第１のアクセスネットワークデバイスがコアネットワークデバイスによって送信された音声ベアラセットアップ要求を受信した後に、第１のアクセスネットワークデバイスによりアクセスネットワークデバイスに送信される、工程と、
音声ベアラセットアップ命令情報に従って、端末について音声ベアラをセットアップする工程と、
インタフェース回路２１０２を介して、第１のアクセスネットワークデバイスに音声ベアラセットアップ応答を送信して、第１のアクセスネットワークデバイスに音声ベアラのセットアップが完了したことを通知する工程と、
を実行するように構成される。
【０１２８】
インタフェース回路２１０２は、別のアクセスネットワークデバイスとインタラクトするインタフェース回路（例えばＸ２インタフェース回路）であってよく、別のアクセスネットワークデバイスから音声ベアラセットアップ命令情報を受信し、別のアクセスネットワークデバイスに音声ベアラセットアップ応答を送信する。或いは、インタフェース回路２１０２は、コアネットワークデバイスとインタラクトするインタフェース回路（例えばＳ１インタフェース回路）であってよく、コアネットワークデバイスによって転送された別のアクセスネットワークデバイスの音声ベアラセットアップ命令情報を受信し、コアネットワークデバイスを介して別のアクセスネットワークデバイスに音声ベアラセットアップ応答を転送する。
【０１２９】
任意に、音声ベアラセットアップ命令情報はハンドオーバ要求メッセージで搬送される。ハンドオーバ要求メッセージは、Ｓ１ハンドオーバ要求メッセージ又はＸ２ハンドオーバ要求メッセージであり、音声ベアラセットアップ応答はハンドオーバ要求アクナレッジメントメッセージである。
【０１３０】
なお、ここでのプロセッサ２１０１は、１つのプロセッサであってもよいし、複数の処理要素の総称であってもよい。例えば、プロセッサは、中央演算処理装置（Central  Processing  Unit，ＣＰＵ）、特定用途向け集積回路（Application  Specific  Integrated  Circuit，ＡＳＩＣ）、或いは、本発明の本実施形態を実現するように構成される１つ以上の集積回路であってよく、例えば、１つ以上のマイクロプロセッサ（digital  signal  processor，ＤＳＰ）や１つ以上のフィールドプログラマブルゲートアレイ（Field  Programmable  Gate  Array，ＦＰＧＡ）であってよい。
【０１３１】
メモリ２１０３は記憶装置であってもよいし、複数の記憶素子の総称であってもよく、アクセスネットワーク管理デバイスを動作させるために必要な実行可能プログラムコードやパラメータ、データ等を記憶するように構成される。加えて、メモリ２１０３はランダムアクセスメモリ（ＲＡＭ）を含んでよく、更に、不揮発性メモリ（non-volatile  memory）、例えばディスクメモリ、フラッシュメモリ（Flash）を含んでよい。
【０１３２】
バス２１０４は、業界標準アーキテクチャ（Industry  Standard  Architecture、ＩＳＡ）バス、周辺コンポーネント相互接続（Peripheral  Component、ＰＣＩ）バス、拡張業界標準アーキテクチャ（Extended  Industry  Standard  Architecture、ＥＩＳＡ）バスなどであってよい。バス１１０４は、アドレスバス、データバス、制御バスなどに分類されてよい。表示を容易にするために、図１１において１本の太い線のみが表示に用いられているが、１つのバス又は１種類のバスしか存在しないことを示すものではない。
【０１３３】
なお、本明細書の実施形態は全て漸進的に記載されている。各実施形態は、他の実施形態との差異に着目し、実施形態において同一又は類似の部分については、これらの実施形態を参照する。装置実施形態は基本的に方法実施形態と同様であるので、装置実施形態は簡単に説明される。関連する部分については、方法実施形態の説明の一部を参照する。
【０１３４】
上述の実施形態の説明によれば、本発明には次のような利点がある。
【０１３５】
第１のアクセスネットワークデバイスは、コアネットワークデバイスによって送信されたベアラセットアップ要求メッセージを受信すると、ベアラセットアップ応答メッセージをコアネットワークデバイスに送信して、コアネットデバイスに音声ベアラのセットアップが成功したことを通知し、それから、端末をターゲットセルにハンドオーバする際のハンドオーバプロセスにおいて、ターゲットセルにおける音声ベアラのセットアップをトリガする。このように、第１のアクセスネットワークデバイスが音声ベアラのセットアップに不適切であるとき、第１のアクセスネットワークデバイスが音声ベアラをセットアップしない場合でも、第１のアクセスネットワークデバイスは、ベアラのセットアップが成功したことを示す応答メッセージをコアネットワークデバイスに送信する。よって、コアネットワークデバイスは、ベアラのセットアップが失敗したとはみなさず、ハンドオーバが成功した後に、端末がハンドオーバされた新しいセルにベアラセットアップ要求メッセージを送信する。よって、後続のハンドオーバプロセスにおいて、ターゲットセルにおいて音声リソースが準備された後に通信が継続することが保証される。加えて、端末上でセルハンドオーバが実行された後、予め準備されたリソースを用いて、音声ベアラをセットアップしたり、音声通話サービスの処理を完了させることができ、音声通話の遅延が低減され、ユーザの待機時間が短縮される。
【０１３６】
当業者であれば、方法実施形態のステップの全部又は一部が、関連ハードウェアに命令するプログラムによって実施され得ることを理解することができるであろう。プログラムは、コンピュータ可読記憶媒体に記憶されてよい。プログラムが実行されると、方法実施形態のステップが実行される。上述の記憶媒体は、ＲＯＭ、ＲＡＭ、磁気ディスク、光ディスクなど、プログラムコードを記憶可能な任意の媒体を含む。
【０１３７】
本発明の実施形態に係る音声ベアラセットアップ方法及びアクセスネットワークデバイスの詳細については、上述したとおりである。本発明の原理及び実施を説明するために、本明細書に具体例が適用された。実施形態についての説明は、本発明の方法及び本質的な考え方を理解するのに役立つだけである。加えて、当業者であれば、本発明の考え方に従って、特定の実施形態及び適用範囲に変更及び修正を加えることができる。したがって、本明細書の内容は、本発明の制限と解釈してはならない。
【図１】
2018529291.tif 000003
【図２】
2018529291.tif 000004
【図３】
2018529291.tif 000005
【図４】
2018529291.tif 000006
【図５】
2018529291.tif 000007
【図６】
2018529291.tif 000008
【図７】
2018529291.tif 000009
【図８】
2018529291.tif 000010
【図９】
2018529291.tif 000011
【図１０】
2018529291.tif 000012
【図１１】
2018529291.tif 000013
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
端末の音声ベアラをセットアップするために用いられる音声ベアラセットアップ方法であって、
前記端末は、第１のアクセスネットワークデバイスによって提供されたセルに在留し、前記第１のアクセスネットワークデバイスは音声ベアラのセットアップには不適切であり、
前記方法は、
前記第１のアクセスネットワークデバイスが、コアネットワークデバイスによって送信されたベアラセットアップ要求メッセージを受信するステップであって、前記ベアラセットアップ要求メッセージは、前記第１のアクセスネットワークデバイスに音声ベアラのセットアップを要求するために用いられる、ステップと、
前記第１のアクセスネットワークデバイスが、前記コアネットワークデバイスにベアラセットアップ応答メッセージを送信するステップであって、前記ベアラセットアップ応答メッセージは、前記コアネットワークデバイスに音声ベアラのセットアップが成功したことを通知するために用いられる、ステップと、
前記第１のアクセスネットワークデバイスが、前記端末をターゲットセルにハンドオーバし、ハンドオーバプロセスにおいて、前記音声ベアラの前記ターゲットセルにおけるセットアップをトリガするステップと、
を含む方法。
【請求項２】
前記第１のアクセスネットワークデバイスが前記端末をターゲットセルにハンドオーバする前に、
前記第１のアクセスネットワークデバイスが、前記端末が在留する前記セルの隣接セルのステータス情報を取得するステップと、
取得された前記ステータス情報に従って、前記隣接セルから前記ターゲットセルを選択するステップと、
を更に含む、請求項１に記載の方法。
【請求項３】
前記ステータス情報は音声サービス処理能力を含む、
請求項２に記載の方法。
【請求項４】
前記ステータス情報は更に、信号品質と負荷の一方又は両方を含む、
請求項３に記載の方法。
【請求項５】
前記端末が在留する前記セルは時分割複信（ＴＤＤ）セルであり、前記ターゲットセルは周波数分割複信（ＦＤＤ）セルである、
請求項１乃至４のいずれか一項に記載の方法。
【請求項６】
前記ターゲットセルが第２のアクセスネットワークデバイスに属するとき、前記第１のアクセスネットワークデバイスが、ハンドオーバプロセスにおいて、前記音声ベアラの前記ターゲットセルにおけるセットアップをトリガする前記ステップは、
前記第１のアクセスネットワークデバイスが、前記第２のアクセスネットワークデバイスに音声ベアラセットアップ命令情報を送信するステップであって、前記音声ベアラセットアップ命令情報は、前記第２のアクセスネットワークデバイスに、前記音声ベアラをセットアップするように命令するために用いられる、ステップ、
を含む、請求項１乃至５のいずれか一項に記載の方法。
【請求項７】
前記音声ベアラセットアップ命令情報はハンドオーバ要求メッセージで搬送され、前記ハンドオーバ要求メッセージは、Ｓ１ハンドオーバ要求メッセージ又はＸ２ハンドオーバ要求メッセージである、
請求項６に記載の方法。
【請求項８】
前記ターゲットセルが前記第１のアクセスネットワークデバイスに属するとき、前記第１のアクセスネットワークデバイスが、ハンドオーバプロセスにおいて、前記音声ベアラの前記ターゲットセルにおけるセットアップをトリガする前記ステップは、更に、
前記ターゲットセルにおいて、前記端末について前記音声ベアラをセットアップするステップと、
前記端末にハンドオーバコマンドメッセージを送信するステップであって、前記ハンドオーバコマンドメッセージは前記端末についてセットアップされた前記音声ベアラを搬送する、ステップと、
を含む、請求項１乃至５のいずれか一項に記載の方法。
【請求項９】
端末の音声ベアラをセットアップするために用いられる音声ベアラセットアップ方法であって、
前記端末は、第１のアクセスネットワークデバイスによって提供されたセルに在留し、前記第１のアクセスネットワークデバイスは音声ベアラのセットアップには不適切であり、
前記方法は、
第２のアクセスネットワークデバイスが、前記第１のアクセスネットワークデバイスによって送信された音声ベアラセットアップ命令情報を受信するステップであって、前記音声ベアラセットアップ命令情報は、前記第１のアクセスネットワークデバイスがコアネットワークデバイスによって送信された音声ベアラセットアップ要求を受信した後に、前記第１のアクセスネットワークデバイスにより前記第２のアクセスネットワークデバイスに送信される、ステップと、
前記第２のアクセスネットワークデバイスが、前記音声ベアラセットアップ命令情報に従って、前記端末について音声ベアラをセットアップするステップと、
前記第２のアクセスネットワークデバイスが、前記第１のアクセスネットワークデバイスに音声ベアラセットアップ応答を送信して、前記第１のアクセスネットワークデバイスに音声ベアラのセットアップが完了したことを通知するステップと、
を含む方法。
【請求項１０】
前記音声ベアラセットアップ命令情報はハンドオーバ要求メッセージで搬送され、前記ハンドオーバ要求メッセージは、Ｓ１ハンドオーバ要求メッセージ又はＸ２ハンドオーバ要求メッセージであり、前記音声ベアラセットアップ応答はハンドオーバ要求アクナレッジメントメッセージである、
請求項９に記載の方法。
【請求項１１】
端末について音声ベアラをセットアップするように構成されるアクセスネットワークデバイスであって、
前記端末は、前記アクセスネットワークデバイスによって提供されたセルに在留し、前記アクセスネットワークデバイスは音声ベアラのセットアップには不適切であり、
前記アクセスネットワークデバイスは、
コアネットワークデバイスによって送信されたベアラセットアップ要求メッセージを受信するように構成される受信ユニットであって、前記ベアラセットアップ要求メッセージは、前記アクセスネットワークデバイスに音声ベアラのセットアップを要求するために用いられる、受信ユニットと、
前記コアネットワークデバイスにベアラセットアップ応答メッセージを送信するように構成される送信ユニットであって、前記ベアラセットアップ応答メッセージは、前記コアネットワークデバイスに音声ベアラのセットアップが成功したことを通知するために用いられる、送信ユニットと、
前記端末をターゲットセルにハンドオーバし、ハンドオーバプロセスにおいて、前記音声ベアラの前記ターゲットセルにおけるセットアップをトリガするように構成されるハンドオーバユニットと、
を備えるアクセスネットワークデバイス。
【請求項１２】
前記端末が在留する前記セルの隣接セルのステータス情報を取得するように構成される取得ユニットと、
前記取得ユニットによって取得された前記ステータス情報に従って、前記隣接セルから前記ターゲットセルを選択するように構成される選択ユニットと、
を更に備える、請求項１１に記載のアクセスネットワークデバイス。
【請求項１３】
前記ステータス情報は音声サービス処理能力を含む、
請求項１２に記載のアクセスネットワークデバイス。
【請求項１４】
前記ステータス情報は更に、信号品質と負荷の一方又は両方を含む、
請求項１３に記載のアクセスネットワークデバイス。
【請求項１５】
前記端末が在留する前記セルは時分割複信（ＴＤＤ）セルであり、前記ターゲットセルは周波数分割複信（ＦＤＤ）セルである、
請求項１１乃至１４のいずれか一項に記載のアクセスネットワークデバイス。
【請求項１６】
前記ターゲットセルが第２のアクセスネットワークデバイスに属するとき、前記ハンドオーバユニットは、
前記第２のアクセスネットワークデバイスに音声ベアラセットアップ命令情報を送信するように構成され、前記音声ベアラセットアップ命令情報は、前記第２のアクセスネットワークデバイスに、前記音声ベアラをセットアップするように命令するために用いられる、
請求項１１乃至１５のいずれか一項に記載のアクセスネットワークデバイス。
【請求項１７】
前記音声ベアラセットアップ命令情報はハンドオーバ要求メッセージで搬送され、前記ハンドオーバ要求メッセージは、Ｓ１ハンドオーバ要求メッセージ又はＸ２ハンドオーバ要求メッセージである、
請求項１６に記載のアクセスネットワークデバイス。
【請求項１８】
前記ターゲットセルが前記アクセスネットワークデバイスに属するとき、前記ハンドオーバユニットは、
前記ターゲットセルにおいて、前記端末について前記音声ベアラをセットアップし、前記端末にハンドオーバコマンドメッセージを送信するように構成され、前記ハンドオーバコマンドメッセージは前記端末についてセットアップされた前記音声ベアラを搬送する、
請求項１１乃至１５のいずれか一項に記載のアクセスネットワークデバイス。
【請求項１９】
端末について音声ベアラをセットアップするように構成されるアクセスネットワークデバイスであって、
前記端末は、第１のアクセスネットワークデバイスによって提供されたセルに在留し、前記第１のアクセスネットワークデバイスは音声ベアラのセットアップには不適切であり、
前記アクセスネットワークデバイスは、
前記第１のアクセスネットワークデバイスによって送信された音声ベアラセットアップ命令情報を受信するように構成される受信ユニットであって、前記音声ベアラセットアップ命令情報は、前記第１のアクセスネットワークデバイスがコアネットワークデバイスによって送信された音声ベアラセットアップ要求を受信した後に、前記第１のアクセスネットワークデバイスにより前記アクセスネットワークデバイスに送信される、受信ユニットと、
前記音声ベアラセットアップ命令情報に従って、前記端末について音声ベアラをセットアップするように構成されるセットアップユニットと、
前記第１のアクセスネットワークデバイスに音声ベアラセットアップ応答を送信して、前記第１のアクセスネットワークデバイスに音声ベアラのセットアップが完了したことを通知するように構成される送信ユニットと、
を備えるアクセスネットワークデバイス。
【請求項２０】
前記音声ベアラセットアップ命令情報はハンドオーバ要求メッセージで搬送され、前記ハンドオーバ要求メッセージは、Ｓ１ハンドオーバ要求メッセージ又はＸ２ハンドオーバ要求メッセージであり、前記音声ベアラセットアップ応答はハンドオーバ要求アクナレッジメントメッセージである、
請求項１９に記載のアクセスネットワークデバイス。
【請求項２１】
プロセッサに請求項１乃至１０のいずれか一項に記載の方法を実行させるプログラム。
【手続補正２】
【補正対象書類名】明細書
【補正対象項目名】００３０
【補正方法】変更
【補正の内容】
【００３０】
第４の態様と第４の態様の第１〜第４の可能な実施とのうちいずれか１つに関して、第４の態様の第７の可能な実施では、ターゲットセルがアクセスネットワークデバイスに属するとき、プロセッサは、具体的には、
ターゲットセルにおいて、端末について音声ベアラをセットアップし、送受信器を介して端末にハンドオーバコマンドメッセージを送信するように構成される。ハンドオーバコマンドメッセージは端末についてセットアップされた音声ベアラを搬送する。
【手続補正３】
【補正対象書類名】明細書
【補正対象項目名】００３２
【補正方法】変更
【補正の内容】
【００３２】
第５の態様に関して、第５の態様の第１の可能な実施では、音声ベアラセットアップ命令情報はハンドオーバ要求メッセージで搬送される、ハンドオーバ要求メッセージは、Ｓ１ハンドオーバ要求メッセージ又はＸ２ハンドオーバ要求メッセージであり、音声ベアラセットアップ応答はハンドオーバ要求アクナレッジメントメッセージである。
【手続補正４】
【補正対象書類名】明細書
【補正対象項目名】００３４
【補正方法】変更
【補正の内容】
【００３４】
第６の態様に関して、第６の態様の第１の可能な実施では、音声ベアラセットアップ命令情報はハンドオーバ要求メッセージで搬送される、ハンドオーバ要求メッセージは、Ｓ１ハンドオーバ要求メッセージ又はＸ２ハンドオーバ要求メッセージであり、音声ベアラセットアップ応答はハンドオーバ要求アクナレッジメントメッセージである。
【手続補正５】
【補正対象書類名】明細書
【補正対象項目名】０１２０
【補正方法】変更
【補正の内容】
【０１２０】
任意に、ターゲットセルがアクセスネットワークデバイスに属するとき、プロセッサ１１０１は、具体的には、
ターゲットセルにおいて、端末について音声ベアラをセットアップし、送受信器１１０６を介して、端末にハンドオーバコマンドメッセージを送信するように構成される。ハンドオーバコマンドメッセージは端末についてセットアップされた音声ベアラを搬送する。
【手続補正６】
【補正対象書類名】明細書
【補正対象項目名】０１２２
【補正方法】変更
【補正の内容】
【０１２２】
メモリ１１０４は記憶装置であってもよいし、複数の記憶素子の総称であってもよく、アクセスネットワークデバイスを動作させるために必要な実行可能プログラムコードやパラメータ、データ等を記憶するように構成される。加えて、メモリ１１０４はランダムアクセスメモリ（ＲＡＭ）を含んでよく、更に、不揮発性メモリ（non-volatile  memory）、例えばディスクメモリ、フラッシュメモリ（Flash）を含んでよい。
【手続補正７】
【補正対象書類名】明細書
【補正対象項目名】０１２３
【補正方法】変更
【補正の内容】
【０１２３】
バス１１０５は、業界標準アーキテクチャ（Industry  Standard  Architecture、ＩＳＡ）バス、周辺コンポーネント相互接続（Peripheral  Component  Interconnect、ＰＣＩ）バス、拡張業界標準アーキテクチャ（Extended  Industry  Standard  Architecture、ＥＩＳＡ）バスなどであってよい。バス１１０５は、アドレスバス、データバス、制御バスなどに分類されてよい。表示を容易にするために、図９において１本の太い線のみが表示に用いられているが、１つのバス又は１種類のバスしか存在しないことを示すものではない。
【手続補正８】
【補正対象書類名】明細書
【補正対象項目名】０１３１
【補正方法】変更
【補正の内容】
【０１３１】
メモリ２１０３は記憶装置であってもよいし、複数の記憶素子の総称であってもよく、アクセスネットワークデバイスを動作させるために必要な実行可能プログラムコードやパラメータ、データ等を記憶するように構成される。加えて、メモリ２１０３はランダムアクセスメモリ（ＲＡＭ）を含んでよく、更に、不揮発性メモリ（non-volatile  memory）、例えばディスクメモリ、フラッシュメモリ（Flash）を含んでよい。
【手続補正９】
【補正対象書類名】明細書
【補正対象項目名】０１３２
【補正方法】変更
【補正の内容】
【０１３２】
バス２１０４は、業界標準アーキテクチャ（Industry  Standard  Architecture、ＩＳＡ）バス、周辺コンポーネント相互接続（Peripheral  Component  Interconnect、ＰＣＩ）バス、拡張業界標準アーキテクチャ（Extended  Industry  Standard  Architecture、ＥＩＳＡ）バスなどであってよい。バス２１０４は、アドレスバス、データバス、制御バスなどに分類されてよい。表示を容易にするために、図１１において１本の太い線のみが表示に用いられているが、１つのバス又は１種類のバスしか存在しないことを示すものではない。
【国際調査報告】
2018529291.tif 000014
2018529291.tif 000015
2018529291.tif 000016
2018529291.tif 000017